(57)【要約】  本発明は、輪郭を付けられた安全縁部セクション２のためのプラグ１に関し、プラグ１は、輪郭を付けられた安全縁部セクション２における第１の線３のための第１の接触要素、及び輪郭を付けられた安全縁部セクション２における第２の線のための第２の接触要素、並びに挿入ノーズ部１６を備え、これら２つの接触要素は、挿入ノーズ部１６に受け入れられる。第１の接触要素は、第１の爪部９を伴う第１の支持部８であり、第２の接触要素は、第２の爪部１１を伴う第２の支持部１０である。
2022501790.tif 000002
【特許請求の範囲】
【請求項１】
安全切替輪郭部（２）のためのプラグ（１）であって、前記プラグ（１）は、前記安全切替輪郭部（２）における第１の切替輪郭部セクション（５）のための第１の接触要素、及び前記安全切替輪郭部（２）における第２の切替輪郭部セクション（６）のための第２の接触要素、並びに挿入ノーズ部（１６）を有し、前記２つの接触要素は、前記挿入ノーズ部（１６）に受け入れられ、
前記第１の接触要素は、第１の爪部（９）を伴う第１の支持部（８）であり、前記第２の接触要素は、第２の爪部（１１）を伴う第２の支持部（１０）であることを特徴とする、プラグ（１）。
【請求項２】
第１の撚り線（３）は、前記電気安全切替輪郭部（２）における前記第１の切替輪郭部セクション（５）に配置され、第２の線（４）は、前記電気安全切替輪郭部（２）の前記第２の切替輪郭部セクション（６）に配置され、前記２つの切替輪郭部セクション（５、６）は、共通の切替輪郭部空間（７）において、互いに相補的に形成されることを特徴とする、請求項１に記載のプラグ。
【請求項３】
前記支持部（８、１０）はＵ型輪郭部（１７、２０）であることを特徴とする、請求項１又は２に記載のプラグ。
【請求項４】
前記第１の支持部（８）は、少なくとも２つの第１の爪部（９）を有し、及び／又は前記第２の支持部（１０）は、少なくとも２つの第２の爪部（１１）を有することを特徴とする、請求項１から３までのいずれか一項に記載のプラグ。
【請求項５】
チャネル（２１）は、前記Ｕ型輪郭部（１７、２０）の２つの脚部間に形成され、前記チャネル（２１）は、前記電気安全切替輪郭部（２）における前記第１の切替輪郭部セクション（５）と、前記電気安全切替輪郭部（２）における前記第２の切替輪郭部セクション（６）との間に挿入することができることを特徴とする、請求項３又は４に記載のプラグ。
【請求項６】
前記挿入ノーズ部（１６）は封止要素（１８）を備えることを特徴とする、請求項１から５までのいずれか一項に記載のプラグ。
【請求項７】
信号ケーブル（１９）は、前記２つの接触要素に接続されることを特徴とする、請求項１から６までのいずれか一項に記載のプラグ。
【請求項８】
第１の撚り線（３）及び第２の撚り線（４）、並びにプラグ（１）を伴う安全切替輪郭部（２）であって、前記第１の撚り線（３）は、第１の切替輪郭部セクション（５）に配置され、前記第２の撚り線（４）は、第２の切替輪郭部セクション（６）に配置され、前記２つの切替輪郭部セクション（５、６）は、共通の切替輪郭部空間（７）において互いに対して相補的に形成され、前記プラグ（１）は、前記第１の切替輪郭部セクション（５）のための第１の接触要素、及び前記第２の切替輪郭部セクション（６）のための第２の接触要素を有し、
前記第１の接触要素は、第１の爪部（９）を伴う第１の支持部（８）であり、前記第２の接触要素は、第２の爪部（１１）を伴う第２の支持部（１０）であることを特徴とする、安全切替輪郭部（２）。
【請求項９】
前記第１の切替輪郭部セクション（５）、及び前記第２の切替輪郭部セクション（６）は、前記切替輪郭部空間（７）において対向して配置され、前記切替輪郭部空間（７）は、ゴムチューブ（１２）によって取り囲まれることを特徴とする、請求項８に記載の安全切替輪郭部（２）。
【請求項１０】
前記ゴムチューブ（１２）は、第１の側部（１３）及び第２の側部（１４）を形成し、前記２つの側部（１３、１４）は、前記ゴムチューブ（１２）の他方の端部において、固定輪郭（１５）に締め付けることができることを特徴とする、請求項９に記載の安全切替輪郭部（２）。
【発明の詳細な説明】
【技術分野】
【０００１】
本発明は、請求項１のプリアンブルによる安全切替輪郭部のプラグ、及び従属請求項８のプリアンブルによる安全切替輪郭部に関する。
【背景技術】
【０００２】
現況技術からＤＥ１０  ２０１１  ００３  ０６３Ａ１を参照すると、切替輪郭部に配置された少なくとも２つの導電体を有する可撓性切替輪郭部を伴う、電気切替ストリップを記載している。それによると、これら導電体は、少なくとも切替輪郭部の第１の端部を越えて突出する領域において、金属線又は金属撚り線として形成され、且つ切替輪郭部の第１の端部領域において、金属線又は金属撚り線に電気的に接続された終端要素を伴う。終端要素は、表面に取り付け可能なＳＭＤ構成要素として、少なくとも２つの接触面を伴って形成される。終端要素の接触面は、切替輪郭部の第１の端部を越えて突出する金属線又は金属撚り線に、直接接続される。
【０００３】
さらに、ＷＯ２０１２／０２５１９８Ａ１の安全切替デバイスを参照すると、詳細にはローラ・ドア、ローラ・グリル、ドア、昇降プラットフォーム、作業プラットフォームなどの電動システムのために、少なくとも２つのボタンを有する少なくとも１つの切替チャンバが備えられ、これらボタンは、タッチされると、評価ユニットに供給される切替信号を始動させる。ボタンは、切替領域の端部における切替ラインに各々接続することができ、端部において切替チャンバに差し込むことができるプラグが提供され、切替チャンバに締め付けることができる。
【先行技術文献】
【特許文献】
【０００４】
【特許文献１】ＤＥ１０  ２０１１  ００３  ０６３Ａ１
【特許文献２】ＷＯ２０１２／０２５１９８Ａ１
【発明の概要】
【発明が解決しようとする課題】
【０００５】
本発明の目標は、安全切替輪郭部のプラグを提供することであり、それは迅速且つ容易に製造することができ、それによって簡単な組立も実現される。さらに、これに関連して、高いレベルの機能的信頼性が、高度の耐久性を伴って実現される。
【課題を解決するための手段】
【０００６】
請求項１の特徴付け部による特徴は、この目標の実現をもたらす。
【０００７】
好ましい実施例は、従属請求項で確認できる。
【０００８】
本発明によるプラグは、接続のため、並びにその後の、安全切替輪郭部の信号受信及び信号送信のために使用される。これに関連して、安全切替輪郭部はゴム材で作られる。
【０００９】
そのため、安全切替輪郭部は、第１の導電性切替輪郭部セクション、及び第２の導電性切替輪郭部セクションを有する。第１の切替輪郭部セクションは、第１の撚り線を備える。第２の切替輪郭部セクションは、同様に第２の撚り線を備える。２本の撚り線は、概ね中央に、２つの切替輪郭部セクションの長手方向に挿入されるか、又は例えば同時に押し出される。
【００１０】
さらに、プラグは第１の接触要素及び第２の接触要素を有する。本発明によると、２つの接触要素には爪構造が設けられる。したがって、第１の接触要素は、第１の爪部を伴う第１の支持部として設けられ、第２の接触要素は、第２の爪部を伴う第２の支持部として設けられる。
【００１１】
爪構造は、それぞれの撚り線との導電接触を確立するのを可能にするために、いずれの事例においても、安全切替輪郭部に到達するための支持部と、それぞれの切替輪郭部セクションに係合するためのそれぞれの爪部と、から構成される。
【００１２】
支持部とプラグの位置付けとの相互作用において、爪部は、信号送信のための接触転送部を形成する。そのために、爪部はとげ付き構造を有する場合がある。爪部の形状を用いて、それらを安全切替輪郭部の中に押込むために可能な限り簡易化し、且つそれぞれの切替輪郭部セクションに接触させることができることは最も重要である。それによって、挿入された安全切替輪郭部をプラグから抜けにくくする。
【００１３】
この目的のため、爪部は、それぞれの支持部における一方の端部から他方の端部へ上方に向かう形状を有し、次に支持部に対して実質的に直角に配置された直線に向かう。
【００１４】
さらに、第１の支持部は、少なくとも２つの第１の爪部を有し、及び／又は第２の支持部は、少なくとも２つの第２の爪部を有し得る。支持部ごとに２つ以上の爪部を、本発明によって網羅することも可能である。この事例において、１つの同じ支持部における別の爪部も、一様に同じ形状を有する。爪部の異なる形状及びサイズも考えられる。
【００１５】
支持部及びそれぞれの爪部は、一片に形成され、導電性の金属材料から構成される。詳細には、爪部は導電性であり、支持部の材料は絶縁性である。
【００１６】
さらに、本発明によるプラグは挿入ノーズ部を備え、２つの接触要素は挿入ノーズ部に受け入れられる。挿入ノーズ部の形状、及び支持部及び爪部から構成された本発明の２つの接触部の位置付けは、プラグが安全切替輪郭部の中に挿入されたときに、それぞれの爪部と導電性切替輪郭部セクションとの間で接触するよう、安全切替輪郭部の内側構造に適合される。
【００１７】
第１の撚り線は、電気安全切替輪郭部の第１の切替輪郭部セクションに配置され、第２の撚り線は、電気安全切替輪郭部の第２の切替輪郭部セクションに配置される。２つの切替輪郭部セクションは、共通の切替輪郭部空間において、互いに相補的に形成される。ここで、相補的とは、第１の切替輪郭部が隆起断面、且つ第２の切替輪郭部セクションがチャネル形状断面であることを意味し、それによって第１の切替輪郭部セクションは、第２の切替輪郭部セクションの中に、形状が合致するよう導入され得る。
【００１８】
好ましい実施例において、２つの支持部は、接触クリップの形状でＣ又はＵ型輪郭部である。プラグは、Ｕ型輪郭部における２つの脚部の間でチャネルを形成する。このチャネルは、電気安全切替輪郭部の第１の切替輪郭部セクションと、電気安全切替輪郭部の第２の切替輪郭部セクションとの間に挿入することができる。
【００１９】
このチャネルは、有利には、プラグが安全切替輪郭部の中に挿入されたときに、プラグが所定の方法で中央に置かれること、及び切替輪郭部セクション空間も、挿入ノーズ部を介して整合且つ延ばされること、を保証し、それによってさらなる防護及び封止を提供する。
【００２０】
Ｕ又はＣ型輪郭部のため、製造中に、電気接触力の恒久的前負荷を容易に調整することができる。さらに、挿入ノーズ部の圧縮が実現される。この圧縮は、挿入ノーズ部の堅固な嵌合を可能にするという利点を有する。確実に腐食防止をするため、支持部及び爪部のコーティングが施される。例えば、このような腐食防止は、ニッケルコーティングによって実現することができる。
【００２１】
加えて、挿入ノーズ部は封止要素を有する。この封止要素は、好ましくは挿入ノーズ部からプラグハウジングへ達する薄板構造として配置される。有利には、これは安全切替輪郭部に、プラグの追加の固定及び締付を実現する。
【００２２】
さらに、プラグは信号ケーブルを有する。この信号ケーブルは、一方の端部が支持部に、また他方の端部が信号処理コンピュータに接続される。
【００２３】
本発明による安全切替輪郭部は、第１の撚り線及び第２の撚り線、並びにプラグを備える。第１の撚り線は、第１の切替輪郭部セクションに配置され、第２の撚り線は、第２の切替輪郭部セクションに配置される。２つの切替輪郭部セクションは、共通の切替輪郭部空間において互いに相補的に形成される。
【００２４】
第１の切替輪郭部セクション及び第２の切替輪郭部セクションは、切替輪郭部空間において対向して配置され、それによって、切替輪郭部空間が圧縮されたときに、第１の切替輪郭部セクションは、第２の切替輪郭部セクションに、相補的な方法で格納され得る。この事例において、切替輪郭部空間は、ゴムチューブによって囲まれる。
【００２５】
このゴムチューブは、第１の側面及び第２の側面も形成し、これら２つの側面は、ゴムチューブの他方の端部において固定輪郭部に締め付けることができ、それによって固定輪郭部が、例えば引き戸の一部として形成される。
【００２６】
このプラグは、第１の切替輪郭部セクションのための第１の接触要素、及び第２の切替輪郭部セクションのための第２の接触要素を有し、本発明により、第１の接触要素は、第１の爪部を伴う第１の支持部から構成され、第２の接触要素は、第２の爪部を伴う第２の支持部から構成される。
【００２７】
本発明の別の利点、特徴、及び詳細は、以下の好ましい実施例の説明及び図面からもたらされる。
【図面の簡単な説明】
【００２８】
【図１】本発明によるプラグを、斜め上から見た図である。
【図２】図１によるプラグの、部分的な組立分解図である。
【図３】本発明による、Ｕ型輪郭部の接触要素の図である。
【図４】本発明による安全切替輪郭部及び図１によるプラグを、斜め上から見た図である。
【発明を実施するための形態】
【００２９】
図１はプラグ１を示す。詳細には、プラグ１は、プラグハウジング２２と一体的に形成された、挿入ノーズ部１６で構成される。さらにプラグハウジング２２は、信号ケーブル１９を備える。
【００３０】
さらに、第１の支持部８及び第２の支持部１０が示され、それらは挿入ノーズ部１６に受け入れられて示される。
【００３１】
加えて、チャネル２１も示される。チャネル２１は、第１の支持部８と第２の支持部との間に配置され、それによって凸形状が、第１の支持部８から第２の支持部１０に向けて形成される。
【００３２】
図２は、基本的には図１と同じ図であるが、２つの支持部８、１０が、挿入ノーズ部１６から引き出された位置で示される。この実施例において２つの支持部８、１０が、いかにしてＵ型輪郭部１７として形成されているかを、明確に確認できる。
【００３３】
図２は、第１の支持部８が、いかにして第１の爪部９を形成するかを、さらに示す。この事例において、爪部９は、第１の支持部８から第１のブリッジ２８に向かってゆっくりと上方に向かい、次に第１の支持部８に向かって、第１の支持部８に対してほぼ矩形配置で、再び下方に向かって形成される。ここで示される実施例において、複数の第１の爪部９が確認できる。
【００３４】
次に、第２の支持部１０も第２の爪部１１を、いかに有するかを確認できる。爪部１１は、第２の支持部１０から第２のブリッジ２９に向かってゆっくりと上方に向かい、次に第２の支持部１０に向かって、第２の支持部１０に対してほぼ矩形配置で、下方に戻って形成される。本明細書に示される実施例において、複数の第２の爪部１１が確認できる。
【００３５】
図３は、第１の支持部８の拡大図である。図３は、第１のブリッジ２８が、一方で第１の脚部２３を、且つ他方で第２の脚部２４を、いかに形成するかを示す。２つの脚部２３、２４は、第１のブリッジ２８を伴ってＵ型輪郭部１７を形成する。第１の脚部は第１の爪部９を形成し、第２の脚部２４は第１の爪部９．１を形成する。さらに、接合部２７が、２つの脚部２３、２４の他の側において第１のブリッジ２８を貫通する。接合部２７は、受信した信号を伝えられるように、ここでは図示されない信号ケーブルに接続することができる。
【００３６】
図４は、本発明による安全切替輪郭部２、及び図１〜図３のプラグ１を示す。プラグ１に関して、図１〜図３の特徴は繰り返さないが、当然ながら説明は、ここで示されるプラグについても言及する。
【００３７】
安全切替輪郭部２は、主にゴムチューブ１２から構成される。このゴムチューブ１２には、第１の側部１３及び第２の側部１４が、折り込み可能に形成される。ゴムチューブ１２は切替輪郭部空間７を囲み、次に切替輪郭部空間７は、第１の切替輪郭部セクション５、及び第２の切替輪郭部セクション６を収容する。２つの切替輪郭部セクション５、６は、圧力がゴムチューブ１２に加えられたとき、互いの中に相補的に摺動することができるように、切替輪郭部空間において互いに対向して配置される。
【００３８】
その過程で、例えば電気抵抗の形態の、第１の切替輪郭部セクション５における第１の撚り線３と、第２の切替輪郭部セクション６における第２の撚り線４との間の信号は、互いに合致され、必要に応じて信号は生成され、その信号は、プラグ１が挿入されたときに、信号ケーブル１９を介して、詳細に図示されない信号処理コンピュータに送信される。
【００３９】
固定輪郭部１５がさらに示され、その中に、２つの側面１３、１４のそれぞれの端部を、固定するために締め付けることができる。
【符号の説明】
【００４０】
１  プラグ
２  安全切替輪郭部
３  第１の撚り線
４  第２の撚り線
５  第１の切替輪郭部セクション
６  第２の切替輪郭部セクション
７  切替輪郭部空間
８  第１の支持部
９  第１の爪部
１０  第２の支持部
１１  第２の爪部
１２  ゴムチューブ
１３  第１の側部
１４  第２の側部
１５  固定輪郭部
１６  挿入ノーズ部
１７  Ｕ型輪郭部
１８  封止要素
１９  信号ケーブル
２０  Ｕ型輪郭部
２１  チャネル
２２  プラグハウジング
２３  第１の脚部
２４  第２の脚部
２５  第１の挿入チャネル
２６  第２の挿入チャネル
２７  接合部
２８  第１のブリッジ
２９  第２のブリッジ
【図１】
2022501790.tif 000003
【図２】
2022501790.tif 000004
【図３】
2022501790.tif 000005
【図４】
2022501790.tif 000006
【国際調査報告】
2022501790.tif 000007
2022501790.tif 000008
2022501790.tif 000009
2022501790.tif 000010